(57)【特許請求の範囲】
【請求項１】
偏芯カムを間にして相対向し該偏芯カムの周面に摺接する第１および第２のばね板；
各ばね板に固定されて各ばね板の偏芯カム回転対応の屈伸による張力に対応した波長の光を反射する第１および第２のＦＢＧ光ファイバ；
第１のＦＢＧ光ファイバにレーザ光を送出し該ＦＢＧ光ファイバからの反射光を出力する第１の光カプラ；および、
第２のＦＢＧ光ファイバにレーザ光を送出し該ＦＢＧ光ファイバからの反射光を出力する第２の光カプラ；
を備える偏芯回転センサ。
【請求項２】
さらに、第１および第２の光カプラが出力する光相当の偏芯回転電気信号を発生する電気回路手段；を備える、請求項１に記載の偏芯回転センサ。
【請求項３】
第１および第２のばね板と同等であるが、前記偏芯カムには摺接しない第３および第４のばね板；
第１の光カプラの反射光出力ファイバに接続され、第３のばね板に固定されて張力に対応した波長の光を反射する、第１のＦＢＧ光ファイバと同等特性の、第３のＦＢＧ光ファイバ；および、
第２の光カプラの反射光出力ファイバに接続され、第４のばね板に固定されて張力に対応した波長の光を反射する、第２のＦＢＧ光ファイバと同等特性の、第４のＦＢＧ光ファイバ；
を備える、請求項１に記載の偏芯回転センサ。
【請求項４】
第１および第３のばね板は、一枚のばね板の、静止固定される両端の固定部の間の、スリットによる幅方向２分割で出来た従動帯および静止帯であり；
第２および第４のばね板は、もう一枚のばね板の、静止固定される両端の固定部の間の、スリットによる幅方向２分割で出来た従動帯および静止帯である；請求項３に記載の偏芯回転センサ。
【請求項５】
さらに、第３および第４のＦＢＧ光ファイバが出力する光相当の偏芯回転電気信号を発生する電気回路手段；を備える、請求項３又は４に記載の偏芯回転センサ。
【請求項６】
前記電気回路手段は、第３および第４のＦＢＧ光ファイバの出力光をそれぞれ電圧に変換し両電圧の差分対応の偏芯回転電気信号を発生する；請求項５に記載の偏芯回転センサ。
【請求項７】
溶接トーチを保持する揺動アームを揺動駆動する揺動機構の揺動駆動軸に又は該揺動駆動軸に連結した回転軸に、請求項１乃至６のいずれか１つに記載の偏芯回転センサの前記偏芯カムを固着した、溶接トーチの揺動検出器。
【請求項８】
溶接トーチを保持する揺動アーム；
揺動駆動軸および電気モータを含み、前記揺動アームを揺動駆動する揺動機構；
前記揺動駆動軸に又は該揺動駆動軸に連結した回転軸に前記偏芯カムを固着した、請求項２，５又は６に記載の偏芯回転センサ；および、
前記電気モータを回転駆動し、前記偏芯回転センサの前記電気回路手段が発生する偏芯回転電気信号に基づいて前記電気モータの回転を制御するモータドライバ；
を備える、溶接トーチの揺動装置。
【請求項９】
前記モータドライバは、前記偏芯回転電気信号の電圧が設定値に達すると前記電気モータの回転駆動の方向を反転する；請求項８に記載の、溶接トーチの揺動装置。
【発明の詳細な説明】
【技術分野】
【０００１】
本発明は、偏芯カムの回転を検出するセンサならびに該センサを用いる、溶接トーチ揺動検出器および溶接トーチ揺動装置に関する。
【背景技術】
【０００２】
溶接において、開先の幅方向に溶接トーチを揺動駆動する溶接態様がある。特許文献１には、トーチの回転駆動によって溶接電極を左右に揺動駆動し、回転位置（揺動位置）をロータリエンコーダを用いてモニタして揺動の左右位置調整を行う溶接装置が記載されている。特許文献２には、溶接トーチを保持する揺動アームの尾端部の丸穴に偏芯カムを挿入してこれを回転駆動することにより揺動アームを揺動駆動するウィービング装置が記載されている。揺動制御では、パルススエンコーダやポテンショメータといった回転位置検出器を揺動駆動モータに連結して、該検出器が発生する電気信号をモータ駆動回路にフィードバックして揺動位置のモニタ，揺動中心や揺動振幅の調整などに用いている。
【先行技術文献】
【特許文献】
【０００３】
【特許文献１】特許第３７８８６５９号公報
【特許文献２】実開平６−６６８６７号公報
【発明の概要】
【発明が解決しようとする課題】
【０００４】
ところが、実際の現場では大電流を使用したＭＡＧ溶接や、高周波を用いたＴＩＧ及びプラズマ溶接といった、電磁ノイズ等の外乱要因が大きく影響する作業環境下での使用も多く、その場合は、上述のパルスエンコーダやポテンショメータのみならず、それらの電気信号を処理する弱電系の信号処理素子，電気回路が正常に働かず、溶接装置が誤動作（場合によっては暴走）する場合がある。
【０００５】
また、大電流や高周波の影響が無くても、工場内の機器配置に十分なエリアを確保できないことから、溶接作業を遠隔制御する場合もあり、その際は弱電系信号処理回路からコントローラに至る信号ラインの距離が長くなるため、位置フィードバック信号がコモンモードノイズやクロストークといったノイズによって乱れて、正確にトーチ揺動位置を検出し揺動制御することが出来ない等のトラブルが発生する。
【０００６】
そこで、これらの問題を極力少なくするために、使用するエンコーダ及び制御ケーブルの仕様も外乱耐性の強い「ラインドライバ方式」や「シールド付きツイストペア信号線」を選択するなど、高価な部品を用意する必要があり、また、そのエンコードされる位置フィードバック信号を制御に利用するコントローラや電気回路にも、入力段でノイズ廻り込みを除去するためのアイソレーションアンプＩＣ等が、別途、必要になる場合も多く発生しており、導入コストの面からも大きな障害となっている。現時点で、これらの問題を完全に解決出来る揺動位置検出器は無い。
【０００７】
上記問題点を解決するために、この発明は、電磁ノイズ等の外乱要因に影響されずに偏芯回転を検出するセンサを提供することを第１の目的とし、溶接トーチの揺動信号を電磁ノイズ等の外乱を受けることなく送出することを第２の目的とし、電磁ノイズ等の外乱要因が大きく影響する作業環境下でも、誤動作なく溶接トーチを揺動駆動する揺動装置を提供することを第３の目的とする。
【課題を解決するための手段】
【０００８】
（１）偏芯カム(6)を間にして相対向し該偏芯カムの周面に摺接する第１および第２のばね板(2a,3a)；
各ばね板に固定されて各ばね板の偏芯カム回転対応の屈伸による張力に対応した波長の光を反射する第１および第２のＦＢＧ光ファイバ(4a,5a)；
第１のＦＢＧ光ファイバ(4a)にレーザ光を送出し該ＦＢＧ光ファイバ(4a)からの反射光を出力する第１の光カプラ(8)；および、
第２のＦＢＧ光ファイバ(5a)にレーザ光を送出し該ＦＢＧ光ファイバ(5a)からの反射光を出力する第２の光カプラ(9)；
を備える偏芯回転センサ。
【０００９】
なお、理解を容易にするために括弧内には、図面に示し後述する実施例の対応要素又は相当要素の記号を、例示として参考までに付記した。以下も同様である。
【発明の効果】
【００１０】
偏芯カム(6)が回転し、その長半径周面が第１のばね板(2a)を押し始めると、第１のＦＢＧ光ファイバ(4a)が反射する光の波長が長くなる。すなわち特定波長領域の反射光が強くなる。このとき、偏芯カム(6)の短半径周面が第２のばね板(3a)に対向するようになるので、第２のＦＢＧ光ファイバ(5a)が反射する光の波長が短くなる。すなわち特定波長領域の反射光が弱くなる。これにより、第１の光カプラ(8)の出力光は強くなり、第２の光カプラ(9)の出力光は弱くなる。
【００１１】
逆に、偏芯カム(6)の長半径周面が第２のばね板(3a)を押し始めると、第２のＦＢＧ光ファイバ(5a)が反射する光の波長が長くなって第２の光カプラ(9)の出力光は強くなる。偏芯カム(6)の短半径周面が第１のばね板(2a)対向するようになるので、第１のＦＢＧ光ファイバ(4a)が反射する光の波長が短くなって、第１の光カプラ(8)の出力光が弱くなる。
【００１２】
このような、第１および第２の光カプラ(8,9)の出力光の強度は偏芯カム(6)の回転角度に対応するので、出力光の強度に基づいて回転角を知ることができる。この偏芯回転センサは光ファイバにおけるレーザ光の伝播に基づいて偏芯カム(6)の回転角対応の光信号を出力するので、溶接機に装備しても、電磁ノイズの影響を受けることがない。
【図面の簡単な説明】
【００１３】
【図１】本発明の溶接トーチの揺動装置の一実施例を示し、（ａ）は（ｂ）上のIＡ−IＡ線の縦断面図、（ｂ）は（ａ）上のIＢ−IＢ線断面図である。
【図２】（ａ）は図１の（ａ）に示す図面の拡大図、（ｂ）は（ａ）上の偏芯回転センサ１の拡大斜視図である。
【図３】図２の（ａ）に示す偏芯回転センサ１の拡大平面図であり、（ａ）は偏芯カム６の、長半径周面がばね板３を押し短半径周面がばね板２に摺接した状態を示し、（ｂ）は偏芯カム６の中間半径周面がばね板３，２に摺接した状態を示し、（ｃ）は偏芯カム６の、長半径周面がばね板２を押し短半径周面がばね板３に摺接した状態を示す。
【図４】図２の（ｂ）に示す、第１のＦＢＧ光ファイバ４ａ，第２のＦＢＧ光ファイバ４ｂ，第３のＦＢＧ光ファイバ５ａおよび第４のＦＢＧ光ファイバ５ｂと、光ファイバ接続回路３９にある光カプラ７〜９との接続を示し、かつ第２のＦＢＧ光ファイバ４ｂおよび第４のＦＢＧ光ファイバ５ｂの光出力を偏芯回転電気信号に変換して揺動駆動電気モータ２４を正逆転駆動する電気回路を示すブロック図である。
【図５】（ａ）は図４に示す光カプラ７の光入力Ｐと光出力Ｐ／２を示す説明図面であり、光分配器としての使用態様を示す。（ｂ）は光カプラ７と同種の光カプラ７ｒの光入力Ｐ／２と光出力Ｐを示す説明図面であり、光結合器としての使用態様を示す。（ｃ）は図４に示す第３のＦＢＧ光ファイバ５ａの光入力Ｐと光出力および反射光を示す説明図面である。（ｄ）は図４に示す光カプラ９の入力光および分配出力光ならびに第３のＦＢＧ光ファイバ５ａの光入力Ｐと光出力および反射光を示す説明図面である。
【図６】（ａ）は図５の（ｄ）に示す光カプラ９に接続した第４のＦＢＧ光ファイバ５ｂの出力光Ｐ／ｋの説明図面であり、（ｂ）および（ｃ）は図４に示す第２のＦＢＧ光ファイバ４ｂおよび第４のＦＢＧ光ファイバ５ｂの入力光Ｐ／２と出力光の説明図面である。
【発明を実施するための形態】
【００１４】
（２）さらに、第１および第２の光カプラ(8,9)が出力する光相当の偏芯回転電気信号を発生する電気回路手段(11a,11b,12a,12b,13)；を備える上記（１）に記載の偏芯回転センサ。
【００１５】
第１および第２の光カプラ(8,9)の出力光を電気信号に変換して偏芯回転電気信号を発生する電気回路手段(11a,11b,12a,12b,13)を溶接トーチから離れた場所に配置し、あるいは電磁シールド筐体に収容して、第１および第２の光カプラ(8,9)の出力光を光ファイバで該電気回路手段に伝送することにより、電磁ノイズの影響が少ない偏芯回転電気信号が得られる。
【００１６】
（３）第１および第２のばね板(2a,3a)と同等であるが、前記偏芯カムには摺接しない第３および第４のばね板(2b,3b)；
第１の光カプラ(8)の反射光出力ファイバに接続され、第３のばね板(2b)に固定されて張力に対応した波長の光を反射する、第１のＦＢＧ光ファイバ(4a)と同等特性の、第３のＦＢＧ光ファイバ(4b)；および、
第２の光カプラ(9)の反射光出力ファイバに接続され、第４のばね板(3b)に固定されて張力に対応した波長の光を反射する、第２のＦＢＧ光ファイバ(5a)と同等特性の、第４のＦＢＧ光ファイバ(5b)；
を備える上記（１）に記載の偏芯回転センサ。
【００１７】
ＦＢＧ光ファイバは、引っ張りに対応した波長のレーザ光を反射するが、反射する光の波長は周囲温度によっても変化し温度上昇にともなって波長が長くなる。この影響を防止するため、すなわち温度補償するために、上記（３）の構成を採用した。この構成によれば、第１の光カプラ(8)の反射光の中の、温度依存の反射光が第３のＦＢＧ光ファイバ(4b)で反射されるので、第３のＦＢＧ光ファイバ(4b)の出力光は温度依存波長の光が減衰したものとなる。すなわち温度補償した出力光となる。同様に、第４のＦＢＧ光ファイバ(5b)の出力光も温度補償したものとなる。
【００１８】
（４）第１および第３のばね板(2a,2b)は、一枚のばね板(2)の、静止固定される両端の固定部の間の、スリット(2c)による幅方向２分割で出来た従動帯(2a)および静止帯(2b)であり；
第２および第４のばね板(3a,3b)は、もう一枚のばね板(3)の、静止固定される両端の固定部の間の、スリット(3c)による幅方向２分割で出来た従動帯(3a)および静止帯(3b)である；上記（３）に記載の偏芯回転センサ。
【００１９】
第１および第３のばね板(2a,2b)が同一性状のばね板であって、一方が偏芯カム(6)で屈伸駆動され他方は静止している。これらに固定された第１および第３のＦＢＧ光ファイバ(4a,4b)は同時に同温度となって第１の光カプラ(8)の反射光の中の、温度依存の反射光が第３のＦＢＧ光ファイバ(4b)で反射されて、上記（３）の温度補償効果が高いのに加えて、第１のＦＢＧ光ファイバ(4a)の屈伸（引っ張り）により波長が変わった反射光は、屈伸しない（引っ張り張力が加わらない）第３のＦＢＧ光ファイバ(4b)を透過するので、その出力光では偏芯カム(6)の回転対応で変化した波長の光が強い。同様に、第２および第４のばね板(3a,3b)が同一性状のばね板であって、一方が偏芯カム(6)で屈伸駆動され他方は静止しているので、第４のＦＢＧ光ファイバ(5b)の出力光では偏芯カム(6)の回転対応で変化した波長の光が強い。よって偏芯カム(6)の回転に感度が高い偏芯回転電気信号が得られる。
【００２０】
（５）さらに、第３および第４のＦＢＧ光ファイバ(5a,5b)が出力する光相当の偏芯回転電気信号を発生する電気回路手段(11a,11b,12a,12b,13)；を備える上記（３）又は（４）に記載の偏芯回転センサ。
【００２１】
（６）前記電気回路手段(11a,11b,12a,12b,13)は、第３および第４のＦＢＧ光ファイバ(5a,5b)の出力光をそれぞれ電圧に変換し両電圧の差分対応の偏芯回転電気信号を発生する；上記（５）に記載の偏芯回転センサ。第３および第４のＦＢＧ光ファイバ(4b,5b)の出力光の、偏芯カム(6)の回転対応の波長変化は相対的に逆方向であるので、それぞれを光電変換した電圧が逆方向に変化する。したがって両電圧の差分は、偏芯カム(6)の回転対応で波長が変化した光のみの光電変換値となり、また該差分によって、第３および第４のＦＢＧ光ファイバ(4b,5b)の温度依存の反射光の影響が相殺された光電変換値となる。よって偏芯カム(6)の回転に感度がさらに高い偏芯回転電気信号が得られる。
【００２２】
（７）溶接トーチを保持する揺動アーム(23)を揺動駆動する揺動機構(24〜28)の揺動駆動軸(27)に又は該揺動駆動軸に連結した回転軸(37)に、上記（１）乃至（６）のいずれか１つに記載の偏芯回転センサの前記偏芯カム(6)を固着した、溶接トーチの揺動検出器。
【００２３】
（８）溶接トーチを保持する揺動アーム(23)；
揺動駆動軸(27)および電気モータ(24)を含み、前記揺動アーム(23)を揺動駆動する揺動機構(24〜28)；
前記揺動駆動軸(27)に又は該揺動駆動軸に連結した回転軸(37)に前記偏芯カム(6)を固着した、上記（２），（５）又は（６）に記載の偏芯回転センサ；および、
前記電気モータ(24)を回転駆動し、前記偏芯回転センサの前記電気回路手段(11a,11b,12a,12b,13)が発生する偏芯回転電気信号に基づいて前記電気モータ(24)の回転を制御するモータドライバ(14)；
を備える、溶接トーチの揺動装置。
【００２４】
（９）前記モータドライバ(14)は、前記偏芯回転電気信号の電圧が設定値に達すると前記電気モータ(24)の回転駆動の方向を反転する；上記（８）に記載の、溶接トーチの揺動装置。
【００２５】
本発明の他の目的および特徴は、図面を参照した以下の実施例の説明より明らかになろう。
【実施例】
【００２６】
図１に本発明の溶接トーチ揺動装置の一実施例を示す。揺動装置のフレーム２０にはガイドレール２１が固定されており、該ガイドレール２１に、その長手方向に移動自在にキャリッジ２２が結合している。キャリッジ２２には揺動アーム２３が固着されており、図１の（ａ）上で左右方向に、図１の（ｂ）上では紙面に垂直な方向に延びており、該方向に往復移動する。
【００２７】
減速機付き電気モータ２４の減速出力軸に固着した平歯車２５に噛み合う平歯車２６は、ボールねじのねじ棒２７に固着されており、電気モータ２４の減速出力軸の正，逆転によりねじ棒２７が逆，正回転する。ねじ棒２７が螺合し貫通するボールねじのナット２８は、ねじ棒２７が逆，正回転すると左，右（図１の（ａ）上）方向に移動する。すなわち、電気モータ２４が正転すると、ナット２８が左方向に移動（突出）し、逆転すると右方向に移動（退避）する。ナット２８には連結板２９および連結アングル３０を介して揺動アーム２３が固着されており、ナット２８の左右動と同じく左右に移動する。
【００２８】
ねじ棒２７には、平歯車３４〜３６を介して偏芯カム駆動軸３７が係合しており、ねじ棒２７によってそれの回転方向と同方向に回転駆動される。偏芯カム駆動軸３７には、偏芯回転センサ１の偏芯カム６が固着されている。
【００２９】
揺動アーム２３には、スイッチストライカ３１が固着されており、フレーム２０には、揺動アーム２３の突出（電気モータ２４の正転）限界でスイッチ閉から開に切換わる正転（突出）リミットスイッチ３２と、揺動アーム２３の退避（電気モータ２４の逆転）限界でスイッチ閉から開に切換わる逆転（退避）リミットスイッチ３３が固定されている。これらの正，逆転リミットスイッチ３２および３３は、後述のモータドライバ１４（図４）の、電気モータ２４への正転通電ラインおよび逆転通電ラインにそれぞれ介挿されているので、揺動アーム２３が突出駆動されてなんらかの異常により突出限界に至ると、正転リミットスイッチ３２が閉から開に切換って電気モータ２４の正転通電ラインが開いて正転駆動が停止する。すなわち揺動アーム２３の突出移動が停止する。この状態では逆転リミットスイッチ３３は閉じているので、電気モータ２４の逆転駆動（揺動アーム２３の退避駆動）は可能である。同様に、揺動アーム２３が退避駆動されてなんらかの異常により退避限界に至ると、逆転リミットスイッチ３２が閉から開に切換って電気モータ２４の逆転通電ラインが開いて逆転駆動が停止する。すなわち揺動アーム２３の退避移動が停止する。この状態では正転リミットスイッチ３２は閉じているので、電気モータ２４の正転駆動（揺動アーム２３の突出駆動）は可能である。
【００３０】
図３に、偏芯カム６の回転とばね板２，３（の従動帯２ａ，３ａ）の屈伸との関係を示す。図３の（ｂ）に示すように偏芯カム６の長半径周面がばね板２，３間の中間点にあるときには、図１の（ａ）に示す揺動アーム２３（溶接トーチ）は揺動の中立点（基準点）にある。電気モータ２４が正転すると揺動アーム２３が左方に移動し偏芯カム６は正転して図３の（ｃ）に示すように、ばね板２（の従動帯２ａ）を屈形状にする。ばね板３（の従動帯３ａ）は伸状態となる。電気モータ２４が逆転すると揺動アーム２３が右方に移動し偏芯カム６は逆転して図３の（ａ）に示すように、ばね板３（の従動帯３ａ）を屈形状にする。ばね板２（の従動帯２ａ）は伸状態となる。このように、実際の溶接トーチ揺動の左右動作範囲と偏心力ム６の正逆転領域とが一致する。前記中立点（基準点）は、図３の（ａ）に示す回転角に偏芯カム６が回転しているときの揺動アーム２３の揺動位置と図３の（ｃ）に示す回転角に偏芯カム６が回転しているときの揺動アーム２３の揺動位置との間の中間点である。
【００３１】
偏芯回転センサ１の光ファイバは、一部は光ファイバ接続回路３９（図１の（ａ）および図４）を介して、光ファイバコネクタ３８に接続され、該コネクタ３８にコネクタ接続される図示を省略した光ファイバケーブルを介して、偏芯回転センサ１の出力光が、電磁シールド筐体４０（図４）内の、偏芯回転電気信号を発生する電気回路（１１ａ，１１ｂ，１２ａ，１２ｂ，１３）の光電変換器１１ａ，１１ｂに伝達される。
【００３２】
図２の（ａ）には図１の（ｂ）を拡大して示し、図２の（ｂ）に偏芯回転センサ１を拡大して示す。弧状の第１ばね板２と第２ばね板３が、偏芯カム６を間に置いて相対向している。第１ばね板２はスリット２ｃで幅方向に２分割されて従動体２ａと静止帯２ｂに分かれており、従動体２ａは偏芯カム６の周面すなわちカム面に圧接しているので偏芯カム６の回転によってカム軸と直交する方向に往復移動するが、静止帯２ｂは偏芯カム６には接触せず、静止している。同様に、第２ばね板３はスリット３ｃで幅方向に２分割されて従動体３ａと静止帯３ｂに分かれており、従動体３ａは偏芯カム６の周面に圧接しているので偏芯カム６の回転によってカム軸と直交する方向に往復移動するが、静止帯３ｂは偏芯カム６には接触せず、静止している。
【００３３】
従動帯２ａには第１のＦＢＧ光ファイバ４ａが、静止帯２ｂには第３のＦＢＧ光ファイバ４ｂが固定されとおり、従動帯３ａには第２のＦＢＧ光ファイバ５ａが、静止帯３ｂには第４のＦＢＧ光ファイバ５ｂが固定されている。これらのＦＢＧ光ファイバ４ａ，４ｂ，５ａ，５ｂは、入射したレーザ光の特定波長（例えば１５３０〜１６１０ｎｍ）
を反射するＦＢＧ（Fiber Bragg Grating）を形成したシングルモードファイバである。
【００３４】
なお、ＦＧＢ光ファイバ４ａ（ＦＧＢ１），４ｂ（ＦＧＢ３），５ａ（ＦＧＢ２），５ｂ（ＦＧＢ４）は、温度Ｔｒ°Ｃ，無負荷（張力ゼロ）での波長ｆ０ｎｍの反射波長が、以下の関係を満足しているものである：
ＦＢＧｌ＝ＦＢＧ３＝λｌ（Ｔｒ，ｆ０）［ｎｍ］
ＦＢＧ２＝ＦＢＧ４＝λ２（Ｔｒ，ｆ０）［ｎｍ］。
【００３５】
図４に、偏芯回転センサ１の光ファイバ接続回路３９と、偏芯回転電気信号を発生する電気回路の構成を示す。光ファイバ接続回路３９には、ＡＳＥ（Amplified Spontaneous Emission）光源１０が、Ｃバンド波長帯域１５２０〜１５７０ｎｍのレーザ光（光パワーＰ［ｄＢｍ］）を入射する。このレーザ光は、光ファイバ接続回路３９の光カプラ７に入射されて、光カプラ７が入射光パワーを（Ｐ／２）［ｄＢｍ］に分配し（分岐し）、各分配光を二段目の二つの光カプラ８，９に、それぞれ出力する。
【００３６】
図５の（ａ）には光カプラ７の光分配の様子を示す。なお、光カプラは図５の（ｂ）に示すように、光合成機能がある。光カプラ８，９は、この光合成機能を使用する態様である。
【００３７】
図４を再度参照する。光カプラ７の出力光すなわち（Ｐ／２）［ｄＢｍ］になった各分配光は、光カプラ８，９を通して三段目の二つのＦＢＧ光ファイバ４ａ（ＦＢＧｌ）と５ａ（ＦＢＧ２）に入射する。これらのＦＢＧ光ファイバ４ａ，５ａは、図５の（ｃ）に示すように、特定波長λ１（Ｔｋ，ｆｍ），λ２（Ｔｋ，ｆｎ）の光だけを反射し、それぞれ光カプラ８，９を通して、図５の（ｄ）に示すように、光パワーが各々（Ｐ／４）［ｄＢｍ］に分配されて、ＦＢＧ光ファイバ４ａ（ＦＢＧｌ）の反射光（波長：λ１（Ｔｋ，ｆｍ））はＦＢＧ光ファイバ４ｂ（ＦＢＧ３）に、またＦＢＧ光ファイバ５ａ（ＦＢＧ２）の反射光（波長：λ２（Ｔｋ，ｆｎ））は、図６の（ａ）に示すように、ＦＢＧ光ファイバ５ｂ（ＦＢＧ４）に各々出力される。ＦＢＧ光ファイバ４ｂ（ＦＢＧ３），５ｂ（ＦＢＧ４）の入出力を図６の（ｂ）および（ｃ）に示す。ＦＢＧ光ファイバ４ｂ（ＦＢＧ３），５ｂ（ＦＢＧ４）の出力光の光パワーは、
ΔＰｌ＝Ｐ｛λｌ（Ｔｋ，ｆｍ）｝−Ｐ｛λｌ（Ｔｋ，ｆ０）｝［ｄＢｍ］
ΔＰ２＝Ｐ｛λ２（Ｔｋ，ｆｎ）｝−Ｐ｛λ２（Ｔｋ，ｆ０）｝［ｄＢｍ］
となり、これらの光が、トーチ揺動装置の制御盤にある電磁シールド筐体４０内の、偏芯回転電気信号を発生する電気回路内の光電変換器１１ａ，１１ｂに入射する。光電変換器１１ａ，１１ｂは、ログアンプ内蔵のＰＤ（フォトダイオード）モジュールであり、略１５２６〜１５６４ｎｍのレーザ光に強い感度があり、該波長領域のレーザ光を電圧（電気信号）に変換する。
【００３８】
この実施例では、光電変換器１１ａで変換出力された＋電位（揺動の左側検知領域）は、電圧フォロワー増幅器１２ａでインピーダンス変換（非反転）されて＋電圧出力（正電圧）を保持し、また、光電変換器１１ｂで変換出力された＋電位（揺動の右側検知領域）は、反転増幅器１２ｂで反転されて一電圧出力（負電圧）に置き換えられる。各増幅器１２ａ，１２ｂから出力された各電圧が、加算器（加算増幅器）１３に入力され、その演算結果（電位差の増幅電圧値）をトーチ揺動用のモータドライバ１４に、揺動アーム２３の揺動方向の位置データとしてフィードバックされる。加算器１３の入力が、光電変換器１１ａの変換出力（正）と光電変換器１１ｂの変換出力の反転（負）であるので、加算器１３の出力は、「光電変換器１１ａの変換出力−光電変換器１１ｂの変換出力」に対応する、検出光の差動増幅値である。すなわち加算器１３の出力は、光電変換器１１ａの光電変換出力と光電変換器１１ｂの光電変換出力の差を表し、偏芯カム６が図３の（ｃ）に示す状態にあるときに正ピーク値、図３の（ａ）に示す状態にあるときに負ピーク値、そして図３の（ｂ）に示す状態にあるときに中立値（ゼロレベル）である。
【００３９】
この実施例では、モータドライバ１４は、加算器１３の出力を、揺動左端閾値（揺動アームの突出閾値：正値）と揺動右端閾値（揺動アームの退避閾値：負値）と比較して、加算器出力が揺動左端閾値以上になるときに電気モータ２４を正転駆動から逆転駆動に切換え、加算器出力が揺動右端閾値以下（絶対値比較では揺動右端閾値以上）になるときに電気モータ２４を逆転駆動から正転駆動に切換える。モータドライバ１４に接続した揺動左端閾値調整用のポテンショメータを操作することにより揺動アーム２３の揺動左端位置を調整することができ、同様に、モータドライバ１４に接続した揺動右端閾値調整用のポテンショメータを操作することにより揺動アーム２３の揺動右端位置を調整することができる。加算器１３の出力が中立値（ゼロレベル）になるときに揺動アーム２３の揺動駆動を停止すると、揺動アーム２３は揺動の基準点で停止する。本実施例では、モータドライバ１４が揺動アーム２３が該基準点にあるときに揺動駆動を開始し、揺動を停止するときは揺動アーム２３が該基準点に到達するときに揺動駆動を停止する。
【００４０】
なお、揺動アーム２３を、中立点（基準点）を揺動中間点とする変形実施態様、すなわち中立点から揺動の左端と右端の距離を常に等しくする変形実施態様では、モータドライバ１４は、１個の揺動幅調整用ポテンショメータを備えてその出力電圧を揺動幅（の１／２）指示値（閾値）とし、加算器１３の出力（交流電圧）を全波整流して正方向の脈流とし、電気モータ２４を正転駆動しているとき脈流電圧が該指示値（閾値）に達すると電気モータ２４を逆転駆動に切換え、逆転駆動しているとき脈流電圧が指示値（閾値）に達すると電気モータ２４を正転駆動に切換える。
【００４１】
本発明の溶接トーチの揺動装置のもう一つの態様は、溶接トーチを保持する揺動アームを支点を中心に振り駆動する駆動カムを備えて、該駆動カムを電気モータで一方向に連続回転駆動する形態のもの（例えば特許文献１）であるが、本発明を実施する為に該駆動カムの回転軸に偏芯カム（６）を固定又は連結し、該偏芯カム（６）に図２の（ｂ）および図４に示す偏芯回転センサ１を組み付けたものである。この態様でもモータドライバ１４は、上述の実施例のように１対のポテンショメータを備えるもの、あるいは上記変形実施形態のように１個のポテンショメータと全波整流手段を備えるものを用いることができる。
【符号の説明】
【００４２】
１：偏芯回転センサ
２：第１ばね板  ２ａ：従動帯
２ｂ：静止帯    ２ｃ：分割スリット
３：第２ばね板
４ａ：第１のＦＢＧ光ファイバ
４ｂ：第３のＦＢＧ光ファイバ
５ａ：第２のＦＢＧ光ファイバ
５ｂ：第４のＦＢＧ光ファイバ
６：偏芯カム
７〜９：光カプラ
２０：フレーム
２１：ガイドレール
２２：キャリッジ
２３：揺動アーム
２４：出力減速機付きの電気モータ
２５，２６：平歯車
２７：ボールねじのねじ棒
２８：ボールねじのナット
２９：連結板
３０：連結アングル
３１：スイッチストライカ
３２，３３：リミットスイッチ
３４〜３６：平歯車
３７：偏芯カム駆動軸
３８：光ファイバコネクタ
３９：光ファイバ接続回路
４０：電磁シールド筐体
【図１】
0005614868.tif 000002
【図２】
0005614868.tif 000003
【図３】
0005614868.tif 000004
【図４】
0005614868.tif 000005
【図５】
0005614868.tif 000006
【図６】
0005614868.tif 000007